(57)【要約】【課題】自動販売機の自動販売機の扉ロック装置に関し、主ロック機構と補助ロック機構の解除・施錠の方法によらず、主ロック機構と補助ロック機構による自動販売機の扉ロック装置を図る。【解決手段】補助ロック機構にフリ−カム１２を設け補助シリンダ錠５の解錠操作によりロックプレ−ト６を後退動作中にスプリング１１の付勢力によりロックプレ−ト６がシャッタ−プレ−ト８の手前で待機状態になるよう設計したことにより、主ロック機構と補助ロック機構の解除・施錠の方法によらず、主ロック機構と補助ロック機構による自動販売機の扉ロック装置ができる。【選択図】図１
2005135276.tif 000002
【特許請求の範囲】
【請求項１】
自動販売機の本体の前面に設けられた扉と、前記扉に主シリンダ錠付きハンドルレバ−の操作で上下スライド式の掛け金をロック・解除位置に移動させる主ロック機構と、前記扉に併設した補助シリンダ錠の施錠でロックプレ−トを進退動作させ前記上下スライド式の掛け金に設けた係合孔に係合することで固定する補助ロック機構と、前記補助ロック機構のロックプレ−ト後退動作時に落下させて係合孔を塞ぐシャッタ−プレ−トとを備え、前記補助ロック機構の補助シリンダ錠の解錠操作により前記ロックプレ−トを後退動作中に、前記シャッタ−プレ−トが落下し前記係合孔を塞いだ後、スプリングの付勢力により前記ロックプレ−トが前記シャッタ−プレ−ト手前で待機状態になるようフリ−カムを設けたことを特徴とした自動販売機の扉ロック装置。
【請求項２】
前記フリーカムを前記補助シリンダ錠の取付け用歯付きワッシャに当て、前記補助ロック機構の前記ロックプレ−ト後退動作時に、前記シャッタープレートが落下する前に、前記ロックプレ−トの開口した異形穴掛かり爪部から抜けないことを特徴とした請求項１に記載の自動販売機の扉ロック装置。
【請求項３】
前記ロックプレ−トの先端を斜めに加工し、前記シャッタ−プレ−トが落下しやすくしたことを特徴とした請求項１または請求項２に記載の自動販売機の扉ロック装置。
【発明の詳細な説明】
【技術分野】
【０００１】
本発明は缶入り飲料などの商品を販売する自動販売機の扉をロックする扉ロック装置に関するものである。
【背景技術】
【０００２】
近年、缶入り飲料などの商品を販売する自動販売機は、金銭及び販売商品の盗難を防ぐべく主ロック機構の他に補助ロック機構を設け、防盗性の向上を図ってきた。
【０００３】
以下、図面を参照しながら上記従来の自動販売機の扉ロック装置を説明する。
【０００４】
図６は、従来の自動販売機の扉ロック装置の概略構成図である。図７は従来の自動販売機の扉ロック装置の詳細動作工程図である。図６および図７に示すように従来の自動販売機の扉ロック装置は、自動販売機の本体１の前面に設けられた扉２と、前記扉２に主シリンダ錠付きハンドルレバ−３の操作で上下スライド式の掛け金４をロック・解除位置に移動させる主ロック機構と、前記扉２に併設した補助シリンダ錠５の施錠でロックプレ−ト１４を進退動作させ前記上下スライド式の掛け金４を固定すべく係合孔７に係合する補助ロック機構と、前記補助ロック機構のロックプレ−ト１４後退動作時に落下させて係合孔７を塞ぐシャッタ−プレ−ト８とから構成されている。
【０００５】
以上のように構成された自動販売機の扉ロック装置について、以下その動作を説明する。
【０００６】
まず、図７（Ａ）に示すように扉ロック状態では主ロック機構と補助ロック機構が施錠されている。扉２を開けるには補助シリンダ錠５を解錠する。図７（Ｂ）に示すように補助シリンダ錠５と共締めされたロックカム９の先端がロックプレ−ト１４に開口した異形穴１４ａに嵌まり込んでおり、解錠と共にロックカム９がロックプレ−ト１４を後退動作させる。すると図７（Ｃ）に示すようにシャッタ−プレ−ト８が落下し主ロック機構である上下スライド式の掛け金４に設けられた係合孔７を塞ぐ。次に補助シリンダ錠５を元の施錠位置に戻し、鍵１０を補助シリンダ錠５から抜く。この時、シャッタ−プレ−ト８が係合孔７を塞いでいるため補助ロック機構は解錠されている。次に主ロック機構の主シリンダ錠付きハンドルレバ−３を鍵１０にて解錠する。図７（Ｄ）に示すようにハンドル操作により上下スライド式の掛け金４を上方へスライドすることで扉２が本体１から開放できる。この時、シャッタ−プレ−ト８が上下スライド式の掛け金４に設けられているため同時に上方へスライドするが、係合孔７も上下スライド式の掛け金４に設けられているため同時に上方へスライドし、補助ロック機構のロックプレ−ト１４はスプリング１１の付勢力により上下スライド式の掛け金４に接している状態である。
【０００７】
次に扉２を閉めて主ロック機構と補助ロック機構を施錠するには、扉２を本体１へ押し込むだけで、図７（Ｅ）に示すように上下スライド式の掛け金４が下方へスライドし、係合孔７に補助ロック機構のロックプレ−ト１４はスプリング１１の付勢力により係合する。次に主シリンダ錠付きハンドルレバ−３を押し込むと主ロック機構と補助ロック機構が施錠状態となる。
【特許文献１】特開２００３−１６１０６８号公報
【発明の開示】
【発明が解決しようとする課題】
【０００８】
しかしながら、上記従来の構成は、主ロック機構と補助ロック機構の解除・施錠の方法を誤ると補助ロック機構が掛からないという欠点があった。
【０００９】
以下にその動作を説明する。
【００１０】
図７は従来の自動販売機の扉ロック装置の課題時詳細動作工程図である。
【００１１】
まず、図８（Ａ）に示すように扉ロック状態では主ロック機構と補助ロック機構が施錠されている。扉２を開けるために主ロック機構である主シリンダ錠付きハンドルレバ−３のハンドル操作できるよう初めに解錠しておく。次に補助シリンダ錠５を解錠する。図８（Ｂ）に示すように補助シリンダ錠５と共締めされたロックカム９の先端がロックプレ−ト１４に開口した異形穴１４ａに嵌まり込んでおり、解錠と共にロックカム９がロックプレ−ト１４を後退動作させる。するとシャッタ−プレ−ト８が落下し主ロック機構である上下スライド式の掛け金４に設けられた係合孔７を塞ぐ。この時、補助シリンダ錠５を元の施錠位置に戻さずにしておくのでロックプレ−ト１４は後退位置で留まったままである。次に図８（Ｃ）に示すように主ロック機構の主シリンダ錠付きハンドルレバ−３をハンドル操作により上下スライド式の掛け金４を上方へスライドすることで扉２が本体１から開放できる。
【００１２】
次に扉２を本体１へ押し込むと、図８（Ｄ）に示すように上下スライド式の掛け金４と係合孔７が下方へスライドし、シャッタ−プレ−ト８が落下してくる。最後に図８（Ｅ）に示すように補助ロック機構の補助シリンダ錠５を元の施錠位置に戻し、ロックプレ−ト１４はスプリング１１の付勢力により引っ張られるが係合孔７には係合せずにシャッタ−プレ−ト８の手前で待機状態のままであり、補助ロック機構が施錠されない。
【００１３】
本発明は従来の課題を解決するもので、主ロック機構と補助ロック機構の解除・施錠の方法に関わらず主ロック機構と補助ロック機構の解除・施錠することができる自動販売機の扉ロック装置を提供することを目的とする。
【課題を解決するための手段】
【００１４】
本発明の請求項１に記載の発明は、自動販売機の本体の前面に設けられた扉と、前記扉に主シリンダ錠付きハンドルレバ−の操作で上下スライド式の掛け金をロック・解除位置に移動させる主ロック機構と、前記扉に併設した補助シリンダ錠の施錠でロックプレ−トを進退動作させ前記上下スライド式の掛け金に設けた係合孔に係合することで固定する補助ロック機構と、前記補助ロック機構のロックプレ−ト後退動作時に落下させて係合孔を塞ぐシャッタ−プレ−トからなり、前記補助ロック機構にフリ−カムを設け補助シリンダ錠の解錠操作により前記ロックプレ−トを後退動作中に、前記シャッタ−プレ−トが落下し前記係合孔を塞いだ後、スプリングの付勢力により前記ロックプレ−トが前記シャッタ−プレ−ト手前で待機状態になるという作用を有する。
【００１５】
請求項２に記載の発明は、請求項１に記載の発明に、さらに、前記フリーカムを前記補助シリンダ錠の取付け用歯付きワッシャに当て、前記補助ロック機構の前記ロックプレ−ト後退動作時に、前記シャッタープレートが落下する前に、前記ロックプレ−トの開口した異形穴掛かり爪部から抜けないという作用を有する。
【００１６】
請求項３に記載の発明は、請求項１または請求項２に記載の発明に、さらに、前記ロックプレ−トの先端を斜めに加工し、前記シャッタ−プレ−トが落下しやすくしたという作用を有する。
【発明の効果】
【００１７】
本発明の自動販売機の扉ロック装置は、主ロック機構と補助ロック機構による自動販売機の扉ロック装置において、補助ロック機構にフリ−カムを設け補助シリンダ錠の解錠操作によりロックプレ−トを後退動作中に、前記シャッタ−プレ−トが落下し前記係合孔を塞いだ後、スプリングの付勢力により前記ロックプレ−トがシャッタ−プレ−ト手前で待機状態になるため、主ロック機構と補助ロック機構の解除・施錠の方法によらず、主ロック機構と補助ロック機構による自動販売機の扉ロック装置が容易に実現できるという有利な効果が得られる。
【発明を実施するための最良の形態】
【００１８】
請求項１に記載の発明は、自動販売機の本体の前面に設けられた扉と、前記扉に主シリンダ錠付きハンドルレバ−の操作で上下スライド式の掛け金をロック・解除位置に移動させる主ロック機構と、前記扉に併設した補助シリンダ錠の施錠でロックプレ−トを進退動作させ前記上下スライド式の掛け金に設けた係合孔に係合することで固定する補助ロック機構と、前記補助ロック機構のロックプレ−ト後退動作時に落下させて係合孔を塞ぐシャッタ−プレ−トとを備え、前記補助ロック機構の補助シリンダ錠の解錠操作により前記ロックプレ−トを後退動作中に、前記シャッタ−プレ−トが落下し前記係合孔を塞いだ後、スプリングの付勢力により前記ロックプレ−トが前記シャッタ−プレ−ト手前で待機状態になるようフリ−カムを設けたことにより、主ロック機構と補助ロック機構の解除・施錠の方法によらず、主ロック機構と補助ロック機構による自動販売機の扉ロック装置が容易に実現できるという有利な効果が得られる。
【００１９】
請求項２に記載の発明は、請求項１に記載の発明の自動販売機の扉ロック装置に前記フリーカムを前記補助シリンダ錠の取付け用歯付きワッシャに当て、前記補助ロック機構の前記ロックプレ−ト後退動作時に、前記シャッタープレートが落下する前に、前記ロックプレ−トの開口した異形穴掛かり爪部から抜けないことにより、補助ロック機構の解錠が容易に実現できるという有利な効果が得られる。
【００２０】
請求項３に記載の発明は、請求項１または請求項２に記載の発明の自動販売機の扉ロック装置に前記ロックプレ−トの先端を斜めに加工し、前記シャッタ−プレ−トが落下しやすくしたことにより、補助ロック機構の解錠が容易に実現できるという有利な効果が得られる。
【００２１】
以下、本発明による自動販売機の実施の形態について、図面を参照しながら説明する。なお、この実施の形態によって本発明が限定されるものではない。
【００２２】
（実施の形態１）
図１は、本発明の実施の形態１による自動販売機の扉ロック装置の概略構成図である。図２は、本発明の実施の形態１による自動販売機の扉ロック装置の補助ロック機構から解錠する詳細動作工程図である。図３は、本発明の実施の形態１による自動販売機の扉ロック装置の主ロック機構から解錠する詳細動作工程図である。
【００２３】
図１に示すように、補助ロック機構の補助シリンダ錠５の解錠操作によりロックプレ−ト６を後退動作中にスプリング１１の付勢力によりロックプレ−ト６がシャッタ−プレ−ト８の手前で待機状態になるようフリ−カム１２を設けたものである。
【００２４】
以上のように構成された自動販売機の扉ロック装置について、以下にその動作を説明する。
【００２５】
まず、補助ロック機構から解錠する場合の動作を説明する。図２（Ａ）に示すように扉ロック状態では主ロック機構と補助ロック機構が施錠されている。扉２を開けるには補助シリンダ錠５を解錠する。図２（Ｂ）に示すように補助シリンダ錠５と共締めされたロックカム９の先端が重力により自由に駆動するフリーカム１２に連結されている。フリーカム１２の先端がロックプレ−ト６に開口した異形穴６ａに嵌まり込んでおり、解錠と共にロックカム９がフリーカム１２と共にロックプレ−ト６を後退動作させる。すると後退動作途中でシャッタ−プレ−ト８が落下し主ロック機構である上下スライド式の掛け金４に設けられた係合孔７を塞ぐ。さらに図２（Ｃ）に示すように後退動作途中に今度はロックプレ−ト６に開口した異形穴６ａに嵌まり込んでいたフリーカム１２が異形穴掛かり爪部６ｂを乗り越え、スプリング１１の付勢力によりロックプレ−ト６がシャッタ−プレ−ト手前で待機状態になる。次に図２（Ｄ）に示すように補助シリンダ錠５を元の施錠位置に戻し、鍵１０を補助シリンダ錠５から抜く。この時、シャッタ−プレ−ト８が係合孔７を塞いでいるため補助ロック機構は解錠されている。次に図２（Ｅ）に示すように主ロック機構の主シリンダ錠付きハンドルレバ−３を鍵１０にて解錠する。ハンドル操作により上下スライド式の掛け金４を上方へスライドすることで扉２が本体１から開放できる。この時、シャッタ−プレ−ト８が上下スライド式の掛け金４に設けられているため同時に上方へスライドするが、係合孔７も上下スライド式の掛け金４に設けられているため同時に上方へスライドし、補助ロック機構のロックプレ−ト６はスプリング１１の付勢力により上下スライド式の掛け金４に接している状態である。
【００２６】
次に扉２を閉めて主ロック機構と補助ロック機構を施錠するには、扉２を本体１へ押し込むだけで、図２（Ｆ）に示すように上下スライド式の掛け金４が下方へスライドし、係合孔７に補助ロック機構のロックプレ−ト６はスプリング１１の付勢力により係合する。次に主シリンダ錠付きハンドルレバ−３を押し込むと主ロック機構と補助ロック機構が施錠状態となる。
【００２７】
次に、主ロック機構から解錠する場合の動作を説明する。図３（Ａ）に示すように扉ロック状態では主ロック機構と補助ロック機構が施錠されている。扉２を開けるために主ロック機構である主シリンダ錠付きハンドルレバ−３のハンドル操作できるよう初めに解錠しておく。次に補助シリンダ錠５を解錠する。図３（Ｂ）に示すように補助シリンダ錠５と共締めされたロックカム９の先端が重力により自由に駆動するフリーカム１２に連結されている。フリーカム１２の先端がロックプレ−ト６に開口した異形穴６ａに嵌まり込んでおり、解錠と共にロックカム９がフリーカム１２と共にロックプレ−ト６を後退動作させる。すると後退動作途中でシャッタ−プレ−ト８が落下し主ロック機構である上下スライド式の掛け金４に設けられた係合孔７を塞ぐ。図３（Ｃ）に示すようにさらに後退動作途中に今度はロックプレ−ト６に開口した異形穴６ａに嵌まり込んでいたフリーカム１２が異形穴掛かり爪部６ｂを乗り越え、スプリング１１の付勢力によりロックプレ−ト６がシャッタ−プレ−ト手前で待機状態になる。この時、補助シリンダ錠５を元の施錠位置に戻さずにしておく。次に図３（Ｄ）に示すようにさらに主ロック機構の主シリンダ錠付きハンドルレバ−３をハンドル操作により上下スライド式の掛け金４を上方へスライドすることで扉２が本体１から開放できる。この時、シャッタ−プレ−ト８が上下スライド式の掛け金４に設けられているため同時に上方へスライドするが、係合孔７も上下スライド式の掛け金４に設けられているため同時に上方へスライドし、補助ロック機構のロックプレ−ト６はスプリング１１の付勢力により上下スライド式の掛け金４に接している状態である。
【００２８】
次に扉２を閉めて主ロック機構と補助ロック機構を施錠するには、扉２を本体１へ押し込むだけで、図３（Ｅ）に示すようにさらに上下スライド式の掛け金４が下方へスライドし、係合孔７に補助ロック機構のロックプレ−ト６はスプリング１１の付勢力により係合する。次に図３（Ｆ）に示すように補助シリンダ錠５を元の施錠位置に戻し、鍵１０を抜く。最後に主シリンダ錠付きハンドルレバ−３を押し込むと主ロック機構と補助ロック機構が施錠状態となる。
【００２９】
したがって、主ロック機構と補助ロック機構の解除・施錠の方法によらず、主ロック機構と補助ロック機構による自動販売機の扉ロック装置が実現できる。
【００３０】
以上のように本実施の形態の自動販売機の扉ロック装置は、自動販売機の本体１の前面に設けられた扉２と、扉２に主シリンダ錠付きハンドルレバ−３の操作で上下スライド式の掛け金４をロック・解除位置に移動させる主ロック機構と、扉２に併設した補助シリンダ錠５の施錠でロックプレ−ト６を進退動作させ上下スライド式の掛け金４を固定すべく係合孔７に係合する補助ロック機構と、補助ロック機構のロックプレ−ト６の後退動作時に落下させて係合孔７を塞ぐシャッタ−プレ−ト８と、補助ロック機構の補助シリンダ錠５の解錠操作によりロックプレ−ト６を後退動作中にスプリング１１の付勢力によりロックプレ−ト６がシャッタ−プレ−ト８手前で待機状態になるようフリ−カム１２を設けたので、主ロック機構と補助ロック機構の解除・施錠の方法によらず、主ロック機構と補助ロック機構による自動販売機の扉ロック装置が実現できる。
【００３１】
（実施の形態２）
図４は本発明の実施の形態２による自動販売機の扉ロック装置のフリーカム回転動作詳細図である。
【００３２】
本実施の形態は、実施の形態１による自動販売機の扉ロック装置に、さらに、フリーカム１２を補助シリンダ錠５の取付け用歯付きワッシャ１３に当て、補助ロック機構のロックプレ−ト６後退動作時に、シャッタープレート８が落下する前に、ロックプレ−ト６の開口した異形穴掛かり爪部６ｂから抜けない構造にしたものである。
【００３３】
以上のように構成された自動販売機の扉ロック装置について、以下にその動作を説明する。
【００３４】
まず、補助シリンダ錠５を解錠する。ただし、主ロック機構である主シリンダ錠付きハンドルレバ−３のハンドル操作できるよう初めに解錠してもよい。補助シリンダ錠５と共締めされたロックカム９の先端が重力により自由に駆動するフリーカム１２に連結されている。フリーカム１２の先端がロックプレ−ト６に開口した異形穴６ａに嵌まり込んでおり、解錠と共にロックカム９がフリーカム１２と共にロックプレ−ト６を後退動作させる。この時フリーカム１２を補助シリンダ錠５の取付け用歯付きワッシャ１３に当てているので、ロックプレ−ト６の開口した異形穴掛かり爪部６ｂから抜けない。すると後退動作途中でシャッタ−プレ−ト８が落下し主ロック機構である上下スライド式の掛け金４に設けられた係合孔７を塞ぐ。さらに後退動作途中に今度はロックプレ−ト６に開口した異形穴６ａに嵌まり込んでいたフリーカム１２が異形穴掛かり爪部６ｂを乗り越え、スプリング１１の付勢力によりロックプレ−ト６がシャッタ−プレ−ト手前で待機状態になる。
【００３５】
したがって、フリーカム１２を補助シリンダ錠５の取付け用歯付きワッシャ１３に当て、補助ロック機構のロックプレ−ト６後退動作時に、シャッタープレート８が落下する前に、ロックプレ−ト６の開口した異形穴掛かり爪部６ｂから抜けない構造が実現できる。
【００３６】
以上のように本実施の形態の自動販売機の扉ロック装置は、フリーカム１２を補助シリンダ錠５の取付け用歯付きワッシャ１３に当てているため、補助ロック機構のロックプレ−ト６の後退動作時に、シャッタープレート８が落下する前に、ロックプレ−ト６の開口した異形穴掛かり爪部６ｂから抜けないので、補助ロック機構の解錠が容易に実現できる。
【００３７】
（実施の形態３）
図５は本発明の実施の形態３による自動販売機の扉ロック装置のロックプレート部品詳細図である。
【００３８】
本実施の形態は、実施の形態１または実施の形態２による自動販売機の扉ロック装置に、さらに、ロックプレ−ト６の先端を斜めに加工し、シャッタ−プレ−ト８が落下しやすくした構造にしたものである。
【００３９】
以上のように構成された自動販売機の扉ロック装置について、以下にその動作を説明する。
【００４０】
まず、補助シリンダ錠５を解錠する。ただし、主ロック機構である主シリンダ錠付きハンドルレバ−３のハンドル操作できるよう初めに解錠してもよい。補助シリンダ錠５と共締めされたロックカム９の先端が重力により自由に駆動するフリーカム１２に連結されている。フリーカム１２の先端がロックプレ−ト６に開口した異形穴６ａに嵌まり込んでおり、解錠と共にロックカム９がフリーカム１２と共にロックプレ−ト６を後退動作させる。すると後退動作途中でシャッタ−プレ−ト８が落下し主ロック機構である上下スライド式の掛け金４に設けられた係合孔７を塞ぐ。この時、ロックプレ−ト６の先端を斜めに加工し、シャッタ−プレ−ト８が落下しやすくなる。さらに後退動作途中に今度はロックプレ−ト６に開口した異形穴６ａに嵌まり込んでいたフリーカム１２が異形穴掛かり爪部６ｂを乗り越え、スプリング１１の付勢力によりロックプレ−ト６がシャッタ−プレ−ト手前で待機状態になる。
【００４１】
したがって、ロックプレ−ト６の先端を斜めに加工し、シャッタ−プレ−ト８が落下しやすくした構造が実現できる。
【００４２】
以上のように本実施の形態の自動販売機の扉ロック装置は、ロックプレ−ト６の先端を斜めに加工し、シャッタ−プレ−ト８が落下しやすくしたので、補助ロック機構の解錠が容易に実現できる。
【産業上の利用可能性】
【００４３】
以上のように、本発明にかかる自動販売機の扉ロック装置は、補助ロック機構にフリ−カムを設け補助シリンダ錠の解錠操作によりロックプレ−トを後退動作中に、前記シャッタ−プレ−トが落下し前記係合孔を塞いだ後、スプリングの付勢力により前記ロックプレ−トがシャッタ−プレ−ト手前で待機状態になるため、主ロック機構と補助ロック機構の解除・施錠の方法によらず、主ロック機構と補助ロック機構による自動販売機の扉ロック装置が容易に実現が可能となるので、缶入り飲料などの商品を販売する自動販売機の扉をロックする扉ロック装置等の用途にも適用できる。
【図面の簡単な説明】
【００４４】
【図１】本発明による自動販売機の扉ロック装置の実施の形態１の概略構成図
【図２】本発明による自動販売機の扉ロック装置の実施の形態１の補助ロック機構から解錠する詳細動作工程図
【図３】本発明による自動販売機の扉ロック装置の実施の形態１の主ロック機構から解錠する詳細動作工程図
【図４】本発明による自動販売機の扉ロック装置の実施の形態２のフリーカム回転動作詳細図
【図５】本発明による自動販売機の扉ロック装置の実施の形態３のロックプレート部品詳細図
【図６】従来の自動販売機の扉ロック装置の概略構成図
【図７】従来の自動販売機の扉ロック装置の詳細動作工程図
【図８】従来の自動販売機の扉ロック装置の課題時詳細動作工程図
【符号の説明】
【００４５】
１    本体
２    扉
３    主シリンダ付きハンドルレバ−
４    上下スライド式の掛け金
５    補助シリンダ錠
６    ロックプレ−ト
６ｂ    異形穴掛かり爪部
７    係合孔
８    シャッタ−プレ−ト
１１    スプリング
１２    フリ−カム
１３    歯付きワッシャ
【図１】
2005135276.tif 000003
【図２】
2005135276.tif 000004
【図３】
2005135276.tif 000005
【図４】
2005135276.tif 000006
【図５】
2005135276.tif 000007
【図６】
2005135276.tif 000008
【図７】
2005135276.tif 000009
【図８】
2005135276.tif 000010